(57)【要約】　　　（修正有）【課題】サンダルバンドの着脱を簡便にすることにより、サンダルの履用範囲を広げる。【解決手段】サンダル台又はサンダル底部１に、サンダル底部外側ないしその周縁に沿って、ストラップ２を２カ所ないし数カ所において、有頭形状の釘又はピンで固定し装着することにより、ストラップとサンダル底部との間に間隙または空隙を設けるものである。履用者が、該間隙または空隙にサンダルバンド３を通すことにより、簡便にサンダルバンドを着脱できる他、該間隙または空隙を通過させ、ストラップを吊ったバンドを対側の方向に牽引しながら、それぞれのバンドの両端を履用者の甲上で結び縛るときには、サンダル底部とバンドに挟まれた履用者の足とはかなり緊密に密着し、該バンドは十分な緊縛感を提供する締具として、活用できる。【選択図】　図３
2004073791.tif 000002
【特許請求の範囲】
【請求項１】
サンダル台又はサンダル底部に、サンダル底部外側乃至その周縁に沿ってストラップを２カ所乃至数カ所において、有頭形状の釘又はピンで、固定して装着することにより、ストラップとサンダル底部との間に、１カ所乃至数カ所の間隙又は空隙を設けたことを特徴とするサンダル
【発明の詳細な説明】
【０００１】
【発明の属する技術分野】
この発明はサンダルに関するものである。サンダルは、履きやすい反面履用者の足とサンダルとの間に隙が生じ、サンダルが脱げやすい。すなわちサンダルの、その長所・短所とは両立しえないものであった。サンダル台又はサンダル底部に、サンダル底部の外側乃至その周縁に沿って、ストラップを２カ所乃至数カ所において、有頭形状の釘又はピンで固定することによりサンダル底部にストラップを装着するときは、サンダル底部と装着したストラップとの間に、１カ所乃至数カ所の間隙又は空隙を生じる。この間隙又は空隙にサンダルバンドとなる単なる布状のバンドを通過させると、当該サンダルバンドがサンダル底部に装着したストラップを引っ掛けサンダルを吊ることが出来る。かかる間隙又は空隙を通過したサンダルバンドを、通過した方向とは反対側に向けて、該バンドを牽引したまま、対側のサンダル底部外側乃至その周縁に沿い固定・装着されたストラップとサンダル底部との間に設けられた、間隙又は空隙に該バンドを通し、サンダル底部両側に装着されたストラップを吊ったまま、当該サンダルバンドを履用者の甲上で縛り結ぶときは、当該サンダルバンドと履用者の足との間の隙間は可及的に小さくなり、サンダルバンドが履用者の足にフィットして、十分な緊締力を与えることができる。またバンドの両端をゴム等伸縮素材の輪状で構成するときは、ストラップを装着した有頭形状の釘又はピンにバンド端の輪を引っ掛けて、サンダルバンドを簡便に留めることが出来る。サンダル台又はサンダル底部のつま先部近傍に設けられたストラップとサンダル底部との間の間隙又は空隙を、両側において通過させたサンダルバンドのそれぞれの端を、履用者の甲上で縛って該サンダルバンドを結び閉じるときは、該バンドを、甲皮として利用できる他、履用者が必要に応じ随時、サンダルバンドを交換できることから、サンダルの利用を著しく向上させることができる。当該サンダルバンドは着脱できるのみならず、サンダルの両側の間隙を通過する際に牽引して留めることにより、履用者の足とバンドとの隙間を可及的に小さくし、バンドが履用者の足にフィット感を与える十分な緊締力を提供できるサンダルバンドとなる。履用者は、活動時でも安定した履き心地を得ることができる。しかも履用者は、自由に、サンダルバンドとなるバンドを交換して、その個性に応じた装飾効果を演出し創作効果を楽しむことができる。
【０００２】
【従来の技術】
従来、サンダルに締具として利用するバンドは、甲皮を初めとしてサンダルに固着されているため、固着したバンドと履用者の足との間に生じる隙間の調節は、簡便ではなかった。
【０００３】
【発明が解決しようとする課題】
サンダルの利用目的は、履き心地の良さと簡易な履きやすさにある。ミュール等の後部の開いたサンダルには、簡易な履きやすさと圧迫感の少ない履き心地の良さがあるが、他面履用時には、サンダル後部において、履用者の足が浮き上がりサンダルが脱げやすい。そのため、ミュール等の後部の開いたサンダルは、活動時の履用、特に長距離の歩行時には、履用者のアキレス腱や筋肉にサンダルを足に保持する為の余分な負担がかかり活動時の履用に適さない。従って、特に後部の開いたサンダルは長距離時などにはあまり履用されず、その利用範囲は限られていた。
【０００４】
サンダルにおいて履用者の必要に応じ、バンドが着脱できればその利用範囲を広げることができる。が、バンド着脱の操作自体が簡便でなければ、締具としてのバンドを着脱させる意味がない。また締具の着脱を可能としても締具装着時に、履用者に適当な緊縛感を提供できなければ、やはりバンドを締具として利用する意味がない。
【０００５】
後部の開いたサンダルに、バンドを締具として固着させて脱げないようにするときは、サンダル後部の開放感が損なわれるという欠点がある。サンダルバンドの着脱を可能とする場合でも、バンドの着脱の操作自体が容易でしかもバンド装着時には、履用者に十分な緊縛感を提供できるものでなければ、バンド着脱の意味をなさず、サンダルの利用範囲を実質的に広げることはできない。本発明は、サンダル台又はサンダル底部に、簡便にバンドを着脱できる装置を設け、当該装置により、締具として簡易で利用しやすいバンドを、簡便に着脱できるようにした他、バンド装着時に、十分な緊縛感とフィット感を履用者に提供できるようにしたものである。
【０００６】
【課題を解決するための手段】
本発明は上記課題を解決するため、サンダル台又はサンダル底部に、サンダル底部外側ないしその周縁に沿って，ストラップをサンダル台又はサンダル底部に、２カ所乃至数カ所において、有頭形状の釘又はピンで、ストラップを固定し装着することにより、サンダル底部と、装着されたストラップとの間に１カ所ないし数カ所の間隙を設ける。履用者が、バンドを該間隙に通過させて簡便にサンダルバンドを着脱できるようにした他、当該装置により，サンダルバンドは、履用者に十分な緊縛感を提供する締具として活用できるようにしたものである。
【０００７】
【発明の実施の形態】
サンダル台又はサンダル底部に、サンダル底部外側ないしその周縁に沿い、ストラップを２カ所乃至数カ所において、有頭形状の釘又はピンで固定することにより、装着したストラップとサンダル底部との間に１カ所乃至数カ所の間隙が生じる。これらの間隙にバンドを通過させることにより、サンダル台又はサンダル底部に固定・装着されたストラップをバンドで吊ることが出来、ストラップを引っ掛けたまま履用者がそのバンドを対側の方向に牽引するときは、サンダルの底部とバンドとの間に挟まれた履用者の足とは、かなり緊密に密着する。バンドの両端を縛ることにより、あるいはバンドの両端を輪状にして、ストラップを固定・装着した釘又はピンの有頭形に引っ掛けて留めることにより、かかるバンドは締具となってサンダルを吊り、サンダルの脱落を防止する。
【０００８】
【実施例】
本発明を、図示実施例に従って説明する。サンダル台又はサンダル底部１は、通常のサンダル台又はサンダル底部と同じ構成であり本底、中底、ヒールなどより成る。サンダル台又はサンダル底部は、皮革、合成ゴム、木、ウレタン・ソール、プラスチック・ソール、スポンジ・ソール、コルクなどの材料を用いて成型し、適宜接着したり、釘止めしたり又は縫い付けることによって造ることができる。ストラップ２は、革、合成皮革、綿、鎖等の材料で造られる。ストラップの形状は、サンダル底部の外側ないしその周縁に沿い、２カ所乃至数カ所で有頭形状の釘又はピンでサンダル台又はサンダル底部にストラップを固定・装着した際、ストラップとサンダル底部との間に間隙又は空隙を生じ、かつ間隙を通過したバンドが、ストラップを引っ掛けることが出来る形状であればよく、長方形、紐、螺旋状等を採用できる。またストラップ２は、サンダル底部１のサンダル外側ないしその周縁に沿って、２カ所乃至数カ所において、有頭形状の釘４又はピン５で固定し装着する。
【０００９】
尚、サンダル台又はサンダル底部にストラップを数本装着するときは、ストラップを重複して装着したり、色彩や形状に変化をつける等、自由に造形してサンダルの装飾効果を高めることができる。
【００１０】
ストラップ２を、サンダル台又はサンダル底部１に装着する方法は、適当な位置にストラップ２に、有頭形状の釘４又はピン５に接着剤を塗布して直接打ち付ける等により、装着することができる。
【００１１】
バンド３は天然皮革、天然繊維、合成皮革、合成ゴム、合成繊維等材料で造られる。バンド３の形態は単なる紐でもよくその両端を結び合わせることにより、またバンドの端を輪状として釘４又はピン５の有頭形状に引っ掛けて留めることにより、サンダルの締具とできればよい。バンドとバンド端の輪状との装着方法は縫製などによる。
【００１２】
【発明の効果】
本発明によるときは、履用者は、バンドを必要に応じ簡便に、着脱できる。すなわち履用者がバンド３を、サンダル台又はサンダル底部１に装着されたストラップ２とサンダル底部との間に設けられた間隙を通過させてストラップ２を引っ掛けることにより、サンダルを吊ることができ、間隙を通過させたバンドを対側に向けて牽引するときは、履用者の足の甲は、サンダル底部とバンドとの間に挟まれ、バンドとの隙間を可及的に小さくして、バンドを足に密着させることが出来るのみならず、サンダルの両側でストラップを引っ掛けたバンドの両端を伸縮性ゴム等の輪状とするときは、サンダル底部にストラップ２を固定・装着した釘４又はピン５の有頭形状に、該輪状のバンド端を、引っ掛けるだけで簡便に留めることができる。履用者は単なるバンドを、履用者の足にフィット感を与えるサンダルバンドとして利用でき、バンドをサンダル底部と、サンダル台又はサンダル底部１に装着したストラップとの間に設けられた間隙の中を通すという簡易な操作だけで、バンド３を簡便にサンダルの締具として利用することができる。
【００１３】
ミュール等の後部の開いたサンダルは、甲皮を足に引っ掛けて簡易に履けるといった面で利用される反面、履用者の足と甲皮の間に隙が生じやすく脱げやすい。他方、サンダル後部に予め、サンダルバンドを締具として固着させるときは、履きやすさが損なわれる。固着した締具の占有が煩わしいからである。そこで、必要に応じバンドを締具として利用するのみならず、履用者の足にバンドを密着させて履用者にフイット感を提供できれば、サンダルの利用範囲は著しく広がる。しかし、バンドの着脱の操作が容易でなければ、所詮画餅に帰する。本発明は、主に履用範囲が制限されているサンダルの、履きやすいが脱げやすいといった、両立しえなかった長所と短所の問題を解消するため、バンドの着脱操作を簡便にして、サンダルの利用範囲を広げるものである。そして本発明により、甲皮・締具となるバンドを簡便にサンダルに装着できる他、装着時にはバンドが履用者の足に密着して、バンドが締具としてサンダルを保持し、履用者に安定した履き心地を提供するものである。
【００１４】
本発明により、サンダルに簡便に、甲皮・締具となるバンドを装着して利用できることから、サンダルのヒールが高い場合でも、履用者は安定した履き心地を得ることができる。甲皮・締具となるバンドを、履用者が必要に応じ随時、着脱・交換でき、サンダル台又はサンダル底部に装着するストラップの素材で装飾効果を高めることもできる。かくして本発明により、サンダルの活用は著しく向上することになる。
【００１５】
また履用者の好みに応じて、甲皮・締具となるバンドの素材を選択することができる他、バンドを容易に着脱できるのでバンドの素材とサンダルとの組み合わせを自由に楽しむことができる。履用者は好みに応じてサンダルを個性的に装飾することができる。
【００１６】
さらにサンダル台又はサンダル底部に装着するストラップ２の材質にプラチナ・金などの高級な素材を使用し、バンド３に絹などの素材を選択するときは、サンダルの美観を高め、サンダルの価値を極めて向上させることができる。
【図面の簡単な説明】
【図１】本発明の実施例を示した斜視図である。
【図２】本発明の実施例を示した平面図である。
【図３】バンドの一例を、サンダル底部に装着したストラップと、サンダル底部との間の間隙又は空隙に通した状態の例示を示す斜視図である。
【符号の説明】
１はサンダル台又はサンダル底部、
２はストラップ、
３はバンドの例示である。
４は有頭形状のピンの例示である。
５は有頭形状の釘の例示である。
【図１】
2004073791.tif 000003
【図２】
2004073791.tif 000004
【図３】
2004073791.tif 000005